(57)【要約】【課題】  アクセサリーシューの上部がカメラ本体の上面よりも上方に突出していると、アクセサリーシューの突出部によって撮像装置が、デザイン上の見た目から煩雑な感じを与えるばかりでなく、撮像装置の操作上からも邪魔になっている。【解決手段】  外装ケース５に収納されたレンズ装置４を介して入力される被写体の画像を認識するための電子ビューファインダ１６と、外装ケース５に取り付けられ且つフラッシュ装置２４０が着脱可能に装着されるアクセサリーシュー１７と、を備えた撮像装置に関する。電子ビューファインダ１６をアクセサリーシュー１７に対して接近及び離反させるファインダ移動機構１６０を設け、このファインダ移動機構１６０の移動により電子ビューファインダ１６をアクセサリーシュー１７から離反させることによってアクセサリーシュー１７の挿入口２３０を開口させ、その挿入口２３０からフラッシュ装置２４０を装着可能にした。【選択図】      図１２  
2005191700.tif 000002
【特許請求の範囲】
【請求項１】
外装ケースに収納されたレンズ装置を介して入力される被写体の画像を認識するためのビューファインダと、
前記外装ケースに取り付けられ且つ電子機器が着脱可能に装着されるアクセサリーシューと、を備えた撮像装置において、
前記ビューファインダを前記アクセサリーシューに対して接近及び離反させるファインダ移動機構を設け、当該ファインダ移動機構の移動により前記ビューファインダを前記アクセサリーシューから離反させることによって当該アクセサリーシューの挿入口を開口させ、その挿入口から前記電子機器を装着可能にしたことを特徴とする撮像装置。
【請求項２】
前記アクセサリーシューの上端部を前記ビューファインダの上端部と略同じ高さに設定したことを特徴とする請求項１記載の撮像装置。
【請求項３】
前記アクセサリーシューは、前記外装ケースの上面部において前記ビューファインダの前方に配置したことを特徴とする請求項１記載の撮像装置。
【請求項４】
前記ファインダ移動機構は、前記ビューファインダを前記レンズ装置の光軸方向と平行に進退移動させることを特徴とする請求項１記載の撮像装置。
【発明の詳細な説明】
【技術分野】
【０００１】
本発明は、フラッシュ装置やマイクロホン装置等のアクセサリー装置が着脱可能に装着されるアクセサリーシューが外装ケースの上部に設けられた撮像装置に関し、特に、アクセサリーシューの上面への突出量を無くし、又は突出量を小さくして、アクセサリーシューによって引っ掛かりを生ずるおそれをなくすと共に、装置全体の小型化を図ることができる撮像装置に関するものである。
【背景技術】
【０００２】
従来の、この種の撮像装置としては、例えば、特許文献１に記載されているようなものがある。特許文献１には、カメラの撮影上有効なスライド機構及びロック機構を備えた電子ビューファインダのスライドロック装置に関するものが記載されている。この特許文献１に記載された電子ビューファインダのスライドロック装置は、電子ビューファインダとカメラ本体を結合する装置において、前記電子ビューファインダに設けられたシューと、前記カメラ本体に固定されかつ上記シューが滑合できる溝を有する固定レールと、この固定レールと前記シューの隙間に挿着されたブレーキプレートと、前記固定レールに螺挿され前記ブレーキプレートを押圧する固定ねじとから構成してなる、ことを特徴としている。
【０００３】
このような構成を有する電子ビューファインダのスライドロック装置によれば、シューと固定レールの嵌合部にブレーキプレートを用いたため、ガタツキによる強度面での不安さが解消され、かつガタツキにより発生する画像の乱れを無くすことができ、より強固で、かつ鮮明な画像を提供できる、等の効果が期待される。
【０００４】
従来の、他の撮像装置としては、例えば、特許文献２に記載されているようなものもある。特許文献２には、電子ビューファインダに関するものが記載されている。この特許文献２に記載された電子ビューファインダは、カメラ本体に対して着脱自在に取り付けられる電子ビューファインダであって、カメラ本体から受入する画像信号に基づいて画像を表示する表示部、及び前記表示部を拡大して観察するためのレンズ系とが筐体に収納されて成るファインダ部と、前記ファインダ部の周囲面に設けられ、電池の長手方向が前記レンズ系の光軸と平行になるように電池を装着する電池装着部と、前記ファインダ部をカメラ本体に取り付けるための取付部であって、カメラ本体に設けられたアクセサリーシューに係脱自在に装着される取付部と、を備えた、ことを特徴としている。
【０００５】
このような構成を有する電子ビューファインダによれば、本来ストロボ等のアクセサリーを取り付けるアクセサリーシューを利用して、電子ビューファインダを取り付ける構造にしたので、見やすいファインダを必要に応じて簡単に着脱することができる。特に、ファインダ部の筐体に沿って電池を配置するようにしたので、全体的にコンパクトな形状を達成できる、と言う効果が期待される。
【０００６】
しかしながら、前述した特許文献１及び２のいずれの撮像装置においても、アクセサリーシューの上部がカメラ本体の上面よりも上方に突出する構造になっていたため、アクセサリーシューによって引っ掛かりを生ずる部分ができていた。そのため、アクセサリーシューの突出部によってデザイン上の見た目から煩雑な感じを与えるばかりでなく、撮像装置の操作上からも邪魔になっている、という課題があった。
【特許文献１】特開平４−９８９７８号公報
【特許文献２】特開平１１−３５５６１８号公報
【発明の開示】
【発明が解決しようとする課題】
【０００７】
解決しようとする問題点は、アクセサリーシューの上部がカメラ本体の上面よりも上方に突出していると、アクセサリーシューの突出部によって撮像装置が、デザイン上の見た目から煩雑な感じを与えるばかりでなく、撮像装置の操作上からも邪魔になっている、と言う点である。
【課題を解決するための手段】
【０００８】
本出願の請求項１に記載の発明は、外装ケースに収納されたレンズ装置を介して入力される被写体の画像を認識するためのビューファインダと、外装ケースに取り付けられ且つ電子機器が着脱可能に装着されるアクセサリーシューと、を備えた撮像装置において、ビューファインダをアクセサリーシューに対して接近及び離反させるファインダ移動機構を設け、このファインダ移動機構の移動によりビューファインダをアクセサリーシューから離反させることによってアクセサリーシューの挿入口を開口させ、その挿入口から電子機器を装着可能にしたことを最も主要な特徴とする。
【０００９】
本出願の請求項２に記載の発明は、アクセサリーシューの上端部をビューファインダの上端部と略同じ高さに設定したことを特徴とする。
【００１０】
本出願の請求項３に記載の発明は、アクセサリーシューは、外装ケースの上面部においてビューファインダの前方に配置したことを特徴とする。
【００１１】
また、本出願の請求項４に記載の発明は、ファインダ移動機構は、ビューファインダをレンズ装置の光軸方向と平行に進退移動させることを特徴とする。
【発明の効果】
【００１２】
本出願の請求項１に記載の発明によれば、ファインダ移動機構でビューファインダを移動させることによってアクセサリーシューの挿入口を開口させ、そのビューファインダが移動した後にできる空間部に電子機器の取付部を差し込んだ後、そこから取付部を挿入口に挿入することにより、アクセサリーシューを外装ケース内に埋没させて突出部が生ずるのを無くすことができる。そのため、アクセサリーシューが外装ケースの表面から突出するのを無くして、撮像装置のデザインをスッキリさせて見た目の煩雑な感じを無くすことができると共に、撮像装置の操作上からも邪魔にならないようにすることができる。
【００１３】
本出願の請求項２に記載の発明によれば、アクセサリーシューの上端部をビューファインダの上端部と略同じ高さとすることにより、撮像装置のデザインを一体感のあるものにすることができると共に、撮像装置全体の小型化を図ることができる。
【００１４】
本出願の請求項３に記載の発明によれば、アクセサリーシューの前方にビューファインダを配置することにより、アクセサリーシューと共にビューファインダを外装ケース内に埋没させて、撮像装置全体の小型化を達成することができる。
【００１５】
また、本出願の請求項４に記載の発明によれば、ファインダ移動機構でビューファインダをレンズ装置の光軸方向と平行に進退移動させることにより、移動後にできるスペースを利用して電子機器の取り付け・取り外し作業を行うことができると共に、ビューファインダを元の位置に戻すことによってアクセサリーシューに装着された電子機器の取付部の緩み等による脱落や、取り出し作業を不能とすることができる。
【発明を実施するための最良の形態】
【００１６】
アクセサリーシューが外装ケースの表面から突出しない構成とすることにより、撮像装置のデザインをスッキリさせて見た目の煩雑な感じが無く、撮像装置の操作上からも邪魔になる突出部の無い撮像装置を、簡単な構造によって実現した。
【実施例１】
【００１７】
図１〜図３０は、本発明の実施の形態を示すものである。即ち、図１〜図４は本発明の電子機器の一具体例を示す撮像装置の一実施例の斜視図、正面図、平面図及び側面図、図５は同じ撮像装置の表示装置を開いて後方から見た斜視図、図６は同じ撮像装置をディスク側の後方から見た斜視図、図７は同じくディスク蓋を開いて前方から見た斜視図、図８は同じくディスク状記録媒体を装着した状態の斜視図、図９は同じく側面図、図１０は撮像装置を把持した説明図である。
【００１８】
図１１は撮像装置のビューファインダとアクセサリーシューの要部を断面した説明図、図１２はビューファインダを移動させた説明図、図１３はビューファインダ及びファインダ移動機構の斜視図、図１４は電子表示装置が搭載されたファインダ移動機構を上面側から見た斜視図、図１５はファインダ移動機構を上面側から見た斜視図、図１６はファインダ移動機構を下面側から見た斜視図、図１７はファインダ移動機構の平面図、右側面図及び左側面図、図１８はファインダ移動機構の底面図、正面図及び背面図、図１９はファインダ移動機構を上面側から見た分解斜視図、図２０はファインダ移動機構を下面側から見た斜視図、図２１は図１６から配線版カバーを取り除いた斜視図、図２２はファインダ移動機構のそれぞれ底面図である。
【００１９】
図２３はファインダ移動機構のスライダの平面図、側面図及び底面図、図２４はファインダ移動機構のホルダ本体の斜視図、図２５は同じくスライダ本体の斜視図、図２６は同じく連結体の斜視図、図２７は電子機器の一具体例を示すフラッシュ装置の斜視図、図２８は図１の撮像装置に図２７のフラッシュ装置を取り付けた状態の説明図、図２９は図２８の撮像装置のビューファインダを略４５度傾斜させた状態の説明図、図３０は図２８の撮像装置のビューファインダを略９０度傾斜させた状態の説明図である。
【００２０】
図１〜図１０に記載した本発明の一具体例を示す撮像装置１は、情報記憶メディアであるディスク状記録媒体の一具体例として直径８ｃｍのＤＶＤ（Digital Versatile Disc）を使用し、光学的な画像をＣＣＤ（固体撮像素子）で電気的な信号に変換してＤＶＤに記録したり、液晶モニタ等の表示装置に表示できるようにしたもの（以下「ディスク式撮像装置」という。）である。しかしながら、本発明の撮像装置１に係るディスク状記録媒体としては、この実施例で示すＤＶＤに限定されるものではなく、ＣＤ−ＲＯＭその他の記録可能な光学ディスクを用いることができることは勿論のこと、例えば光磁気ディスク、磁気ディスク等のように他の記録方式のディスク状記録媒体を適用できるものである。更に、直径８ｃｍのディスク状記録媒体に限定されるものではなく、直径１２ｃｍのものやその他の大きさのディスク状記録媒体を適用できるものである。
【００２１】
このディスク式撮像装置１は、着脱自在に装着されるＤＶＤ２を回転駆動して情報信号の記録（書き込み）及び再生（読み出し）を行うディスクドライブ装置３（図７〜図９を参照）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２２】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、ディスクドライブ装置３が４箇所に設けられたマウントインシュレータを介して弾性的に支持されている。これらのパネル８〜１２は、互いに重ね合わされた適当な部分において、或いは他の部材を介して固定ネジからなる固着手段によって組立・分解可能に構成されている。
【００２３】
レンズ装置４は、外装ケース５の上部に内蔵された状態で固定されていて、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダの一具体例を示す電子ビューファインダ１６が配置されている。
【００２４】
電子ビューファインダ１６は外装ケース５の上部に露出されていて、ファインダ移動機構によってレンズ装置４の光軸方向へ所定距離だけ進退移動可能に構成されている。この電子ビューファインダ１６は、前側を回動中心として後側が上下方向へ回動可能に構成されている。これにより電子ビューファインダ１６は、レンズ装置４の光軸と平行をなす水平状態から、後部を上方へ持ち上げた上向き状態まで所定角度範囲（本実施例では約９０度）内で任意角度に角度調節可能とされている。この電子ビューファインダ１６の角度調整は、ファインダ移動機構の前端部から後端部までの如何なる位置においても行うことができる。
【００２５】
更に、外装ケース５の上部には、ビデオライトや外付けマイクロホン等のアクセサリーが着脱自在に装着されるアクセサリーシュー１７が取り付けられている。アクセサリーシュー１７は電子ビューファインダ１６の直前に配置されていて、電子ビューファインダ１６を後方へ移動させたときに、アクセサリーシュー１７への挿入口が開口されるようになされている。この挿入口を開口させた状態においてアクセサリーの装着が可能であり、アクセサリーの装着後、電子ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。なお、前記電子ビューファインダ１６及びアクセサリーシュー１７については、後で更に詳しく説明する。
【００２６】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２７】
図５及び図６に示すように、外装ケース５のリアパネル１２には、電源バッテリー２４が着脱自在に装着されるバッテリー収納部２５が設けられている。バッテリー収納部２５は、リアパネル１２の背面及び下面に開口されていて、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは右サイドの上部に配置され、他方の支持金具２６ｂは左サイドの下部に配置されている。
【００２８】
図４及び図５に示すように、外装ケース５の表示装置側パネル１０には、表示装置２８が姿勢変更可能に取り付けられている。表示装置２８は、平板状の液晶モニタ２９と、この液晶モニタ２９が収納されたパネルケース３０と、このパネルケース３０を外装ケース５に対して姿勢変更可能に支持するパネル支持部３１とから構成されている。
【００２９】
パネル支持部３１は、垂直軸を回動中心としてパネルケース３０を水平方向に略９０度回動可能とした水平回動機能と、水平軸を回動中心としてパネルケース３０を前後方向に略１８０度回動可能とした前後回動機能とを有している。これにより表示装置２８は、図１〜図４に示す収納状態と、図５に示すパネルケース３０を９０度回動させて液晶モニタ２９を後方へ対向させた状態と、図５の状態からパネルケース３０を１８０度回動させて液晶モニタ２９を前方へ対向させた状態と、それらの中間位置の状態とを任意に取ることができる。
【００３０】
更に、表示装置側パネル１０には、パネルケース３０によって開閉自在に覆われる多数の操作ボタンからなる内側操作部３２と、パネルケース３０の上方に配された複数の操作ボタンからなる外側操作部３３が設けられている。
【００３１】
図７及び図８に示すように、外装ケース５のディスク側パネル８は、ディスク蓋７が取り付けられる側面部８ａと、この側面部８ａの上下に連続する上面部８ｂ及び下面部８ｃと、側面部８ａの左右に連続する前面部８ｄ及び後面部８ｅとからなり、側面部８ａの前面部８ｄ側にディスク収納部６が開口されている。ディスク側パネル８の上面部８ｂの略中央部から前面部８ｄを経て下面部８ｃの略中央部に至る部分は、略半円形をなす枠状に形成されている。そして、略半円形をなす枠状部分の内側には、補強等を目的とした補強部８ｆが内側へ張り出すように形成されている。
【００３２】
ディスク収納部６は、ディスクドライブ装置３の一部を露出させるための開口部を有する一定領域からなり、この実施例では直径が８ｃｍのディスク状記録媒体に対応する大きさの領域として形成されている。このディスク収納部６の略中央部にはディスクドライブ装置３のテーブル回転装置３５が配置され、その中央部に位置するターンテーブル３６に対して、ディスク状記録媒体の一具体例を示す直径８ｃｍのＤＶＤ２が装着可能とされている。なお、テーブル回転装置３５は、図７に一部が現れた状態を示すように、前述した仕切りパネルに弾性支持されたメカシャーシ３７に固定されている。
【００３３】
このテーブル回転装置３５が配置されたディスク収納部６は、図７に示すように、ディスク側パネル８に側面部を回動自在に支持されたディスク蓋７によって開閉可能に覆われている。ディスク蓋７は、ディスク収納部６の形状に見合う形状とされていて、ディスク収納部６の開口側を覆う平面部７ａと、この平面部７ａの外周縁の略全周に亘って連続する周面部７ｂを有している。ディスク蓋７の周面部７ｂは、ディスク側パネル８のディスク収納部６の外周側切欠き部と嵌り合うように構成されている。
【００３４】
この実施例で示すディスク蓋７は、外周縁一周の略５／６（約３００度）が円形（円形部分は全体の略３／４以上あれば良い。）とされたシェル形をなしていて、残りの部分が直線からなる方形部７ｃとされている。この方形部７ｃには、ディスク蓋７を開閉動作させるための回動中心となる蓋回動軸部３９が取り付けられている。蓋回動軸部３９は、図示しないが、方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３９には、ディスク蓋７の最大開き角度（例えば、９０度）を設定するストッパ部が設けられている。
【００３５】
このような蓋回動軸部３９が、その支持軸の軸方向を上下方向に設定してディスク側パネル８に取り付けられている。これにより、ディスク蓋７が蓋回動軸部３９を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３９には、一定の開放角度の範囲内においてディスク蓋７を任意の開放位置で静止させることができると共に、その開放角度を超えたときにはディスク蓋７を開放側へ付勢するようにバネ部材が装着されている。
【００３６】
このディスク側パネル８と重ね合わされる中央部パネル９は、ディスク側パネル８の上面部８ｂと表示装置側パネル１０の間に介在される上面部９ａと、この上面部９ａから前側に連続して前面部８ｄとフロントパネル１１の間に介在される前面部９ｂとからなっている。この中央部パネル９の上面部９ａの略中央部から前面部８ｄの下部に亘る部分には、内側となる表示装置側パネル１０側に傾斜させることによって凹部となるくびれ４２が設定されている。このくびれ４２を有するディスク側パネル８及び中央部パネル９の円弧状をなす部分によってディスク式撮像装置１を握って保持するためのグリップ部４３が構成されている。
【００３７】
このような中央部パネル９とディスク側パネル８の間には、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。
【００３８】
また、図３及び図６等に示すように、ディスク側パネル８には、ディスク蓋７を囲うようにハンドストラップ６０が取り付けられている。ハンドストラップ６０は、外装ケース５の把持部とされたグリップ部４３を握るユーザーの手の部分を支えて、ディスク式撮像装置１の取り落とし等を防止するものである。
【００３９】
このハンドストラップ６０は、両端がディスク側パネル８に固定された支持ベルト６１と、この支持ベルト６１に装着されてユーザーの手の甲部分に当接される保護パッド６２から構成されている。支持ベルト６１の一端はディスク側パネル８の前側下部に固定された取付金具６３に連結され、他端はディスク側パネル８の後側中途部に設けた貫通穴から内側に挿入されて、その内部に取り付けられた取付金具に固定されている。
【００４０】
図６等に示すように、ディスク側パネル８の後部には、電源ボタン６４とモード切換ダイヤル６５と録画ボタン６６が配置されている。モード切換ダイヤル６５はリング状をなしていて、その穴内に電源ボタン６４が収納されている。電源ボタン６４はプッシュ・プッシュ方式のスイッチ手段からなり、その押圧動作によって電源バッテリー２４からの電力供給がオン・オフされる。モード切換ダイヤル６５は録画等の動作モードを選択するためのもので、その回動操作によって「静止画モード」と「動画モード」と「見る・編集モード」との３態様の中から任意のモードを選択することができる。また、録画ボタン６６はプッシュ・プッシュ方式のスイッチ手段からなり、その押圧動作によって動画撮影のスタートとストップが繰り返される。
【００４１】
また、ディスク側パネル８の後側上部には、シャッタボタン６７とズームレバー６８が配置されている。シャッタボタン６７は静止画を撮影するためのもので、その押圧操作により、１回の押圧操作毎に１つの静止画が撮影される。また、ズームレバー６８は撮影時や再生時等において画像を拡大するためのもので、その操作量に応じて一定の範囲内で倍率を無段階に調整することができる。
【００４２】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００４３】
前述したように外装ケース５の内部は仕切りパネルによって左右方向（レンズ装置４の光軸と交差する方向）に仕切られており、これにより、ディスク蓋７側の第１の室と表示装置側の第２の室が形成されている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００４４】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成される。
【００４５】
図７に要部を示すように、ディスクドライブ装置３は、仕切りパネルに取り付けられるメカシャーシ３７と、このメカシャーシ３７に固定されるテーブル回転装置３５と、ピックアップ装置の一具体例を示す光学ピックアップ装置７１等を備えて構成されている。メカシャーシ３７は導電性の板材で形成されていて、絶縁性材料で形成された弾性体からなる複数個のマウントインシュレータを介して仕切りパネルに弾性的に支持されている。
【００４６】
更に、インシュレータは円筒状に形成されたゴム状弾性体からなり、その外周面の軸方向中途部には周方向に連続する環状溝が設けられている。このインシュレータの所定個数（本実施例では４個）が、メカシャーシ３７のインシュレータ受け部やインシュレータ受け片に設けた切欠き穴に環状溝を嵌合させることによってそれぞれ装着されている。そして、仕切りパネルに設けた複数個の支持ピンにインシュレータの中央穴を嵌合した後、各支持ピンの先端に取付ネジを螺合することにより、それぞれのインシュレータの脱落が防止されている。
【００４７】
このようなインシュレータを介して仕切りパネルに取り付けられたメカシャーシ３７は、十分に大きな強度を有する枠状の部材によって構成されている。メカシャーシ３７と仕切りパネルの導体部分は、図示しないアース部材によって互いに導通されていて、静電気等を外部に放出し易い構造とされている。このメカシャーシ３７に搭載されたテーブル回転装置３５は、メカシャーシ３７に固定されたスピンドルモータと、このスピンドルモータの回転部に固定されたターンテーブル３６とから構成されている。
【００４８】
ターンテーブル３６は、ＤＶＤ２のセンタ穴が嵌合される嵌合部３６ａと、センタ穴の周縁部が載置される載置部３６ｂとからなっている。更に、ターンテーブル３６の嵌合部３６ａには、ＤＶＤ２のセンタ穴の周縁部に係合してＤＶＤ２を保持する複数個の係合爪３６ｃが周方向に複数個設けられている。各係合爪３６ｃはスプリングによって半径方向外側へ付勢されており、このスプリングのバネ力によってＤＶＤ２が嵌合部３６ａに位置決め固定される。
【００４９】
また、光学ピックアップ装置７１は、ＤＶＤ２の情報記録面に対向されるピックアップレンズ７４ａを有する二軸アクチュエータ７４と、この二軸アクチュエータ７４が搭載されたスライド部材７５等を備えて構成されている。スライド部材７５は、図に表れない２本のガイド軸にガイドされて移動可能とされている。２本のガイド軸は、スピンドルモータ７２を挟んで互いに平行とされており、一方のガイド軸の近傍にピックアップ移動装置が設けられている。
【００５０】
図示しないが、ピックアップ移動装置は、スライド部材７５に取り付けられた送りナットに係合される送りネジ軸と、この送りネジ軸を回転軸とした送りモータとから構成されている。送りネジ軸は光学ピックアップ装置７１のガイド軸と平行に設定され、メカシャーシ３７に回転自在に支持されている。かくして、送りモータを駆動して送りネジ軸を回転することにより、その送りネジ軸の回転方向に応じて光学ピックアップ装置７１がターンテーブル３６に近づく方向とターンテーブル３６から離れる方向とに選択的に移動される。これらメカシャーシ３７とテーブル回転装置３５と光学ピックアップ装置７１とピックアップ移動装置とその他の関連機構とによってディスクドライブ装置３が構成されている。
【００５１】
このような構成を有するディスクドライブ装置３が取り付けられた仕切りパネルを外装ケース５内の所定位置に固定することにより、図７に示すように、テーブル回転装置３５のターンテーブル３６とその周辺部分がディスク側パネル８のディスク収納部６に配置される。このディスク収納部６がディスク蓋７によって開閉され、そのディスク蓋７のロック及びそのロック解除が蓋開閉機構によって行われる。
【００５２】
また、図１１〜図１３に示すように、電子ビューファインダ１６は、ファインダ移動機構１６０を介してディスク式撮像装置１に取り付けられている。ファインダ移動機構１６０は、ディスク式撮像装置１の前後方向に摺動可能とされたスライド機能と、前端部を回動中心として後部を上下方向に回動可能とされたチルト機能とを有している。これにより、電子ビューファインダ１６は、ディスク式撮像装置１の前後方向に所定範囲内で移動可能とされていると共に、移動された任意の位置において上下方向へ所定角度だけ回動可能とされている。この実施例に示すチルト機能は、レンズ装置４の光軸と平行をなす水平位置と、その水平位置から略９０度上方へ回動した垂直位置との間で回動可能に構成されている。
【００５３】
電子ビューファインダ１６は、互いに連結されたベースキャビネット１６１とファインダキャビネット１６２とアイカップキャビネット１６３とからなる筐体を備えている。ファインダキャビネット１６２の一側にベースキャビネット１６１が連結され、その他側にアイカップキャビネット１６３が連結されている。ベースキャビネット１６１の内部には電子表示装置１６４が内蔵され、また、アイカップキャビネット１６３の内部には接眼レンズと視度調整機構が内蔵されている。視度調整機構の視度調整によって電子表示装置１６４のピント合わせを行うことができ、これによりアイカップキャビネット１６３の先端部に設定された接眼部１６ａから覗き見るユーザーの眼に焦点を合わせることができる。
【００５４】
ファインダ移動機構１６０は、図１４〜図２６に示すような構成を有している。すなわち、ファインダ移動機構１６０は、断面形状がコ字状をなすホルダ１６６と、このホルダ１６６の凹部内に摺動可能に保持されたスライダ１６７及び摺動板１６８と、スライダ１６７に固定された遮蔽板１６９等を備えて構成されている。
【００５５】
図１９及び図２０等に示すように、ホルダ１６６は、それぞれ断面形状がコ字状をなすように形成されたホルダ本体１７０と内装体１７１とからなり、ホルダ本体１７０のコ字状凹部内に重ね合わせるように内装体１７１が装着されている。すなわち、ホルダ本体１７０は、図２４に示すように、長方形をなす底面部１７０ａと、この底面部１７０ａの幅方向両側に連続して立ち上げるように形成された側面部１７０ｂ，１７０ｃとを有し、底面部１７０ａの略中央部には長手方向に連続するガイド長穴１７２が設けられている。
【００５６】
更に、底面部１７０ａの長手方向の一端には、矩形に切り欠かれた切欠き部１７３が設けられており、この切欠き部１７３には電子表示装置１６４に接続されたフレキシブル配線板が挿通される。底面部１７０ａの長手方向の他端には、内装体１７１の位置決めをなす位置決め段部１７４ａが形成されている。また、側面部１７０ｂ，１７０ｃには、ホルダ１６６を外装ケース５に固定支持するための支持部１７４ｂ，１７４ｃが設けられている。符号１７４ｄ，１７４ｅは、図示しない架橋板を支持する支持部である。
【００５７】
内装体１７１は、同じく底面部１７１ａと左右の側面部１７１ｂ，１７１ｃを有している。内装体１７１の底面部１７１ａには、位置決め段部１７４ａに係合される位置決め部１７５ａと、切欠き部１７３に係合される角枠部１７５ｂが設けられている。更に、底面部１７１ａの両側部には、一端が切欠き部１７３側の端部に開口され且つ他端が位置決め部１７５ａ側の端部近傍まで延在された一対のスリット１７６が設けられている。この一対のスリット１７６によってその内部に舌片状の底面部１７１ａが形成されている。そして、底面部１７１ａの角枠部１７５ｂの前部には、後述するガイドピン１８６をカシメて固定するための作業穴１７１ｄが設けられている。
【００５８】
図１９等に示すように、内装体１７１の左右の側面部１７１ｂ，１７１ｃの内面には、長手方向に延在されたガイドレール１７７が形成されている。このガイドレール１７７には摺動板１６８の両側面に設けたガイド溝１７８が係合され、これにより摺動板１６８が内装体１７１に対して長手方向へ移動可能に支持されている。摺動板１６８は、スライダ１６７の所定範囲内の移動に対して、遮蔽板１６９によって連動して長手方向へ移動可能とされている。そして、摺動板１６８の前記移動を制限するための係合部１６８ａが当該摺動板１６８の上面に突出形成されている。
【００５９】
図１９及び図２０等に示すように、スライダ１６７は、断面形状がコ字状をなすように形成されたスライダ本体１８０と、同じく断面コ字状に形成された連結体１８１と、遮蔽板１６９とから構成されている。スライダ本体１８０は、図２５に示すように、底面部１８０ａと、この底面部１８０ａの両側部に連続された側面部１８０ｂ，１８０ｃからなり、底面部１８０ａには内装体１７１の角枠部１７５ｂが係合される矩形の切欠き部１８０ｄが形成されている。そして、底面部１８０ａの両側部の下面には、スライダ１６７をスムーズに摺動させるための摺動シート１８７がそれぞれ貼付されている。
【００６０】
また、左右の側面部１８０ｂ，１８０ｃには、底面部１８０ａと反対側に突出する軸受片１８０ｅがそれぞれ設けられている。各軸受片１８０ｅには、軸受穴１８２ａと、連結体１８１を所定位置でロックするためのロック部１８２ｂ，１８２ｃ，１８２ｄがそれぞれ３箇所に設けられている。更に、各軸受片１８０ｅには、連結体１８１の回動量を制限するためのストッパ部１８２ｅが設けられている。
【００６１】
連結体１８１は、連結部１８１ａと、この連結部１８１ａの両側に連続する支持部１８１ｂ，１８１ｃとからなり、連結部１８１ａにベースキャビネット１６１が固定ネジ等の固着手段によって固定される。各支持部１８１ｂ，１８１ｃには、軸受穴１８４ａと、ストッパ片１８４ｂがそれぞれ設けられている。一対の支持部１８１ｂ，１８１ｃを一対の軸受片１８０ｅ，１８０ｅの内側に配置した後、互いに重ね合わされた軸受穴１８２ａと軸受穴１８４ａに軸ピン１８５を挿通してカシメにより連結体１８１がスライダ本体１８０に回動可能に連結されている。そして、各軸受片１８０ｅ，１８０ｅと支持部１８１ｂ，１８１ｃとの間には、回動時に適当な抵抗を与える板ばねが装着されている。
【００６２】
図１９に示すように、スライダ本体１８０には前述した遮蔽板１６９が、左右の側面部１８０ｂ，１８０ｃ間の開口を閉じるように掛け渡されて一体的に固定されている。遮蔽板１６９の両端部は、各側面部１８０ｂ，１８０ｃの外側に対向するよう配置されていて、板ばね１６９ａとして形成されている。この板ばね１６９ａは、内装体１７１の内面に圧接されて適当な強さの抵抗感を生じさせる。
【００６３】
また、スライダ本体１８０の底面部１８０ａの略中央部には貫通穴１８０ｆが設けられている。この貫通穴１８０ｆにはガイドピン１８６の一端が貫通される。ガイドピン１８６の他端はホルダ本体１７０のガイド長穴１７２を貫通しており、その両端をカシメにて拡大させることにより、スライダ本体１８０がホルダ本体１７０に摺動可能に取り付けられている。この際、スライダ本体１８０の底面部１８０ａは、内装体１７１の底面部１８０ａの底面部の下側に差し込むことによって表面には現れないようになされている。これは、スライダ本体１８０の両側面部１８０ｂ，１８０ｃが内装体１７１の底面部１８０ａに設けた一対のスリット１７６，１７６を貫通して上方へ突出することによって実現されている。
【００６４】
図１９及び図２０に示す符号１８８は、ガイドピン１８６を保護するためのピンカバーである。このピンカバー１８８の内面には、ガイドピン１８６の頭部との接触を回避するための逃げ溝１８８ａが設けられている。このピンカバー１８８は、接着剤等の固着手段によってホルダ本体１７０の底面に固定されている。また、符号１９１は、フレキシブル配線板１９０を保護する配線板カバーである。この配線板カバー１９１は、その基部に固定されたスペーサ１９２を介してホルダ本体１７０の底面に接着剤等の固着手段によって固定されている。スペーサ１９２は、フレキシブル配線板１９０の保護に好適な厚さを有する接着紙によって形成されている。
【００６５】
前記ホルダ本体１７０、スライダ本体１８０、連結体１８１及び遮蔽板１６９の材質としては、例えば、ステンレス鋼、スチール鋼等の金属が好適であるが、適当な強度及び剛性を有するエンジニアリングプラスチックを用いることもできる。また、内装体１７１、摺動板１６８、ピンカバー１８８及び配線板カバー１９１の材質としては、例えば、ＡＢＳ樹脂、その他のエンジニアリングプラスチックが好適であるが、ステンレス鋼、スチール鋼等の金属を用いることもできる。例えば、ポリエステル（ＰＥＴ、ＰＢＴ）シートやポリカーボネート（ＰＣ）シートを絞り加工することでコストや加工工数の低減を図ることができ、特に、ピンカバー１８８及び配線板カバー１９１の場合に、あえて成形樹脂材を使わずに、これらシートを絞り加工することにより、強度を高めたり薄型化することに貢献している。
【００６６】
このような構成を有するファインダ移動機構１６０は、例えば、次のようにして組み立てられている。まず、スライダ１６７を組み立てる。これは、スライダ本体１８０に連結体１８１と遮蔽板１６９を取り付ける。すなわち、スライダ本体１８０の一対の軸受片１８０ｅ，１８０ｅ間に連結体１８１の一対の支持部１８１ｂ，１８１ｃ及び板ばねを介在させ、それぞれ軸ピン１８５によって回動自在に連結する。そして、スライダ本体１８０に遮蔽板１６９を取り付ける。これにより、図１９、図２０及び図２３Ａ〜Ｃに示すように、スライダ１６７が組み立てられる。
【００６７】
次に、ホルダ本体１７０にスライダ１６７を組み立てる。この際、スライダ本体１８０の底面部１８０ａを内装体１７１の底面部の下に差し込み、一対の側面部１８０ｂ，１８０ｃを内装体１７１の底面部に設けた一対のスリット１７６，１７６に嵌め込み、底面部１７１ａの作業穴１７１ｄからガイドピン１８６をカシメて固定する。これにより、図２２Ａに示すように、ガイドピン１８６によってスライダ１６７がホルダ本体１７０に対して摺動可能に連結される。更に、図２２Ｂに示すように、ガイドピン１８６の頭部を隠すようにピンカバー１８８をホルダ本体１７０の底面に固定する。これにより、図１５、図１７Ａ〜Ｃ及び図１８Ａ〜Ｃに示すように、ファインダ移動機構１６０が組み立てられる。
【００６８】
このように組み立てられたファインダ移動機構１６０に電子表示装置１６４を搭載する。この状態を示す図が、図１４である。このとき、ファインダ移動機構１６０の連結体１８１をベースキャビネット１６１に固定する。そして、電子表示装置１６４に接続されたフレキシブル配線板１９０を内装体１７１の上面に引き出し、その後部の開口部１９３に挿通して、図２１に示すように、ホルダ本体１７０の下面に沿わせる。この際、フレキシブル配線板１９０の電子表示装置１６４側の端部は、補強板にて負荷を与えて支持することにより、コネクタには負荷が掛からないようにすることができる。
【００６９】
更に、図１６に示すように、フレキシブル配線板１９０の先端部を配線板カバー１９１の中途部から側方に突出させる。これにより、コネクタ挿入位置が多少動いたときにも、フレキシブル配線板１９０の先端部は移動が可能であるため、そのコネクタ挿入位置にストレスがかかるのを防止することができる。しかも、フレキシブル配線板１９０の先端部はピンカバー１８８と配線板カバー１９１とで挟まれて、一定の隙間内でのみ移動可能とされているため、フレキシブル配線板１９０が他の部品に巻き込まれたり、擦られて傷つけられることもない。
【００７０】
このようなファインダ移動機構１６０によって挿入口２３０が開閉されるアクセサリーシュー１７は、図１１に示すような構成を有している。すなわち、アクセサリーシュー１７は、１枚の板金部材によって形成されたシュー本体２３１と、このシュー本体２３１内に一体的に取り付けられたコネクタ部材２３２とから構成されている。
【００７１】
シュー本体２３１は、四角形をなす底面部２３１ａと、この底面部２３１ａの両側部に連続された一対の側面部２３１ｂと、各側面部２３１ｂに連続された一対の上面部２３１ｃと、各上面部２３１ｃの挿入口２３０側に連続して形成されたストッパ部２３１ｄとを有している。底面部２３１ａの両側部を９０度折り曲げて立ち上げることによって側面部２３１ｂが形成され、この側面部２３１ｂの上部を水平方向に９０度折り曲げることによって上面部２３１ｃが形成されている。そして、上面部２３１ｃの挿入口２３０側の端部を適宜角度（例えば１５度〜４５度）下方へ折り曲げることによってストッパ部２３１ｄが形成されている。
【００７２】
また、コネクタ部材２３２は、ブロック状のコネクタ本体２３３と、このコネクタ本体２３３に内蔵された複数のコネクタ端子２３４と、この複数のコネクタ端子２３４を開閉するスライドカバー２３５等を備えて構成されている。コネクタ端子２３４にはフレキシブル配線板２３７が接続され、そのフレキシブル配線板２３７を介して電源バッテリー２４等の電源に接続される。かくして、フラッシュ装置等のアクセサリーのフット部材を挿入口２３０から差し込み、そのフット部材でスライドカバー２３５を開いて接続端子をコネクタ端子２３４に接触させることにより、このアクセサリーシュー１７に装着されたアクセサリーに電力を供給することができる。
【００７３】
図２７には、前述したアクセサリーの一具体例を示すフラッシュ装置２４０が記載されている。このフラッシュ装置２４０は、アクセサリーシュー１７と係合するフット部材を有し、そのフット部材２４１には電気的接点が設けられ、その電気的接点に接触してフラッシュ装置２４０との電気的接続を可能にする端子２４２を有している。フット部材２４１は、所定の向きでしか挿入できないようになっており、このフット部材２４１には受け部材２４３が固定されている。フラッシュ装置２４０の本体部２４４が受け部材２４３に対して回転自在に支持されていて、その受け部材２４３と本体部２４４との間に、本体部２４４の回転を所定の位置で一時的に係止させ、且つ該所定の位置から１８０度回転したところで該本体部２４４の回転を係止させるためのクリック機構を介在させた回転機構２４５を備えている。
【００７４】
更に、フラッシュ装置２４０には、アクセサリーシュー１７に対するフット部材２４１の位置をロックするロック機構が設けられている。このロック機構は、押え部材と作動部材とからなり、これら部材の一方に螺旋状のカム溝が形成されると共に、他方にはカム溝に係合する係合突起が設けられている。作動部材を所定の方向に動かすことにより、押え部材が移動してフット部材２４１の位置がロックされるようになっている。また、ロック部材の押え部材に強い摩擦力を有する接触片を設け、その接触片がアクセサリーシュー１７と接触することにより、接触片とアクセサリーシュー１７との間の摩擦力によってフット部材２４１をロックすることもできる。接触片の材質としては、合成ゴムが好適である。
【００７５】
このような構成を有するフラッシュ装置２４０を、例えば、次のようにしてディスク式撮像装置１に装着することができる。まず、図１１に示すような状態にある電子ビューファインダ１６を、後方に引き出す。これにより、アクセサリーシュー１７の後方である電子ビューファインダ１６側に、フラッシュ装置２４０のフット部２４１を挿入することができる挿入空間部２４６が形成される。そこで、この挿入空間部２４６にフット部２４１を差し込み、そのフット部２４１をアクセサリーシュー１７の挿入口２３０に挿入する。この際、フット部２４１の挿入動作によってスライドカバー２３５が開かれ、その端子２４２がコネクタ部材２３２のコネクタ端子２３４に接続される。
【００７６】
その結果、コネクタ端子２３４から端子２４２を経てフラッシュ装置２４０に電力が供給される。これにより、フラッシュ装置２４０を使用したディスク式撮像装置１の撮影が可能となる。この際、回転機構２４５でアクセサリーシュー１７の上面部２３１ｃを挟持し、しっかりと固定する。これにより、フラッシュ装置２４０の締付部の緩みによる脱落が防止される。このときのディスク式撮像装置１の状態を示す図が、図２８である。
【００７７】
また、ディスク式撮像装置１の電子ビューファインダ１６は、ファインダ移動機構１６０が、前述したスライド機構とは別にチルト機能を有するため、その接眼部１６ａを上方へ傾けることができる。図２９は、電子ビューファインダ１６を略４５度上方へ傾けた状態を示すものである。また、図３０は、電子ビューファインダ１６を略９０度上方へ傾けて、略真上から下に向いて接眼部１６ａを覗き見るようにした状態を示すものである。このように電子ビューファインダ１６のビュー角度を可変とすることにより、様々な姿勢での撮影を可能とすることができる。
【００７８】
なお、この実施例で示したディスク式撮像装置１によれば、例えば、図１０に示すような状態でディスク式撮像装置１を片手でしっかりと把持して被写体を撮影することができる。この場合、外装ケース５のディスク側パネル８及びディスク蓋７の部分がそのままディスク式撮像装置１を片手で握るための把持部となっており、しかも、その把持部の略全体が略円形に形成されているため、大きなグリップ部４３で安定した撮影が可能となった。しかも、グリップ部４３の内側にはくびれ４２が設定されているため、そのくびれ４２に人差し指から小指までの各先端部を掛けて握ることにより、十分に大きな把持力を生じさせることができる。
【産業上の利用可能性】
【００７９】
本発明は、前述しかつ図面に示した実施の形態に限定されるものではなく、その要旨を逸脱しない範囲内で種々の変形実施が可能である。例えば、前記実施例では、ＤＶＤを記録媒体として用いたディスク式撮像装置に適用した例について説明したが、光磁気ディスクや磁気ディスク等の他の記録方式のディスク状記録媒体を用いることができる。この場合、これらに使用されるピックアップ装置は、記録媒体の種類に応じて、光磁気ピックアップ装置、磁気ピックアップ装置等となる。
【図面の簡単な説明】
【００８０】
【図１】本発明の撮像装置の一実施例を示す斜視図である。
【図２】本発明の撮像装置の一実施例を示す正面図である。
【図３】本発明の撮像装置の一実施例を示す平面図である。
【図４】本発明の撮像装置の一実施例を示す側面図である。
【図５】図１に示す撮像装置において、表示装置を側方に開いて背面側から見た斜視図である。
【図６】図１に示す撮像装置において、電源バッテリーを装着して背面側から見た斜視図である。
【図７】図１に示す撮像装置において、ディスク蓋を開いて背面側から見た斜視図である。
【図８】図１に示す撮像装置において、開かれたディスク蓋とハンドストラップとの干渉状態を説明する斜視図である。
【図９】図１に示す撮像装置のディスク蓋を開いた状態の側面図である。
【図１０】図１に示す撮像装置のグリップ部を握った使用状態を示す説明図である。
【図１１】本発明の撮像装置に係る電子ビューファインダを押し縮めてアクセサリーシューの挿入口を閉じた状態を示す要部を断面した説明図である。
【図１２】本発明の撮像装置に係る電子ビューファインダを引き出してアクセサリーシューの挿入口を開いた状態を示す要部を断面した説明図である。
【図１３】本発明の撮像装置に係る電子ビューファインダを示す斜視図である。
【図１４】本発明の撮像装置に係る電子ビューファインダのファインダ移動機構に電子表示装置を搭載して平面側から見た斜視図である。
【図１５】本発明の撮像装置に係る電子ビューファインダのファインダ移動機構を平面側から見た斜視図である。
【図１６】本発明の撮像装置に係る電子ビューファインダのファインダ移動機構を底面側から見た斜視図である。
【図１７】本発明の撮像装置に係る電子ビューファインダのファインダ移動機構を示すもので、同図Ａは平面図、同図Ｂは左側面図、同図Ｃは右側面図である。
【図１８】本発明の撮像装置に係る電子ビューファインダのファインダ移動機構を示すもので、同図Ａは底面図、同図Ｂは正面図、同図Ｃは背面図である。
【図１９】本発明の撮像装置に係る電子ビューファインダのファインダ移動機構を平面側から見た分解斜視図である。
【図２０】本発明の撮像装置に係る電子ビューファインダのファインダ移動機構を底面側から見た分解斜視図である。
【図２１】本発明の撮像装置に係る電子ビューファインダのファインダ移動機構を底面側から見た斜視図である。
【図２２】本発明の撮像装置に係る電子ビューファインダのファインダ移動機構を示すもので、同図Ａは配線板カバー及びピンカバーを除去した状態の底面図、同図Ｂはピンカバーを取り付けた状態の底面図である。
【図２３】本発明の撮像装置に係る電子ビューファインダのスライダを示すもので、同図Ａは平面図、同図Ｂは側面図、同図Ｃは底面図である。
【図２４】本発明の撮像装置に係る電子ビューファインダのホルダ本体を示す斜視図である。
【図２５】本発明の撮像装置に係る電子ビューファインダのスライダ本体を示す斜視図である。
【図２６】本発明の撮像装置に係る電子ビューファインダの連結体を示す斜視図である。
【図２７】本発明の撮像装置に係るアクセサリーの一具体例を示すフラッシュ装置の斜視図である。
【図２８】本発明の撮像装置のアクセサリーシューに図２７に示すフラッシュ装置を装着した状態を示す説明図である。
【図２９】図２８に示す状態から、本発明の撮像装置の電子ビューファインダを略４５度上方へ傾けた状態を示す説明図である。
【図３０】図２８に示す状態から、本発明の撮像装置の電子ビューファインダを略９０度上方へ傾けた状態を示す説明図である。
【符号の説明】
【００８１】
１…ディスク撮像装置（撮像装置）、  ２…ＤＶＤ（ディスク状記録媒体）、  ３…ディスクドライブ装置、  ４…レンズ装置、  ５…外装ケース、  ６…ディスク収納部、  ７…ディスク蓋、  ８…ディスク側パネル、  ９…中央部パネル、  １０…表示装置側パネル、  １１…フロントパネル、  １２…リアパネル、  １６…電子ビューファインダ（ビューファインダ）、  ３５…テーブル回転装置、  ３６…ターンテーブル、  ３７…メカシャーシ、  ７１…光学ピックアップ装置（ピックアップ装置）、  ７３…ターンテーブル、  
１６０…ファインダ移動機構、  １６６…ホルダ、  １６７…スライダ、  １６８…摺動板、  １６９…遮蔽板、  １７０…ホルダ本体、  １７１…内装体、  １８０…スライダ本体、  １８１…連結体、  １８８…ピンカバー、  １９０，２３７…フレキシブル配線板、  １９１…配線板カバー、  ２４０…フラッシュ装置（アクセサリー）
【図１】
2005191700.tif 000003
【図２】
2005191700.tif 000004
【図３】
2005191700.tif 000005
【図４】
2005191700.tif 000006
【図５】
2005191700.tif 000007
【図６】
2005191700.tif 000008
【図７】
2005191700.tif 000009
【図８】
2005191700.tif 000010
【図９】
2005191700.tif 000011
【図１０】
2005191700.tif 000012
【図１１】
2005191700.tif 000013
【図１２】
2005191700.tif 000014
【図１３】
2005191700.tif 000015
【図１４】
2005191700.tif 000016
【図１５】
2005191700.tif 000017
【図１６】
2005191700.tif 000018
【図１７】
2005191700.tif 000019
【図１８】
2005191700.tif 000020
【図１９】
2005191700.tif 000021
【図２０】
2005191700.tif 000022
【図２１】
2005191700.tif 000023
【図２２】
2005191700.tif 000024
【図２３】
2005191700.tif 000025
【図２４】
2005191700.tif 000026
【図２５】
2005191700.tif 000027
【図２６】
2005191700.tif 000028
【図２７】
2005191700.tif 000029
【図２８】
2005191700.tif 000030
【図２９】
2005191700.tif 000031
【図３０】
2005191700.tif 000032